(57)【要約】      （修正有）【課題】小電力であっても液体に強いゼーター電位を与える装置の提供。【解決手段】液体を輸送する配管１をループ状に複数回巻き、その複数回巻いた輸送配管２の上からゼーター電位を与える発信部３を設けた装置。液体は発信部３をループ状に巻いた回数だけ通過し、発信部３を通過する回数分液体に強いゼーター電位を与える。【選択図】図１
2019025469.tif 000002
【特許請求の範囲】
【請求項１】
液体にゼーター電位を与える装置であって、
液体にゼーター電位を与える発信部に電源を供給する電源部と、
液体にゼーター電位を与える発信部と、
液体を輸送する配管をループ状に複数回巻いた液体輸送配管部と、
液体を輸送する配管をループ状に複数回巻いた液体輸送配管部の外側に液体にゼーター電位を与える発信部を設けたことを特徴とする液体にゼーター電位を与える装置。
【請求項２】
液体を輸送する配管をループ状に複数回巻いた液体輸送配管部の外側に複数個の液体にゼーター電位を与える発信部を設けたことを特徴とする請求項１に記載の液体にゼーター電位を与える装置。
【請求項３】
ゼーター電位を与えた液体の排出口側に導電性の電極及び導電性のフィルターを設け、与えたゼーター電位の逆相の電位を電極及び導電性のフィルターに与えることで液体中のイオン分を電極及びフィルターに付着させる請求項１及び請求項２に記載の液体にゼーター電位を与える装置。
【発明の詳細な説明】
【発明の詳細な説明】
【技術分野】
【０００１】    本発明は家庭用及び業務用洗濯機の給水ホースに取り付けることで洗剤の節約及び洗濯物に付着した皮脂等の洗濯効果を上げることにある。【０００２】    廃液及び排水中から金属イオンを回収する。【０００３】    井水、上水及び一般水にゼーター電位を与えることで別に設けた電極及びフィルター与えたゼーター電位の逆相の電位を印加することで鉄、カルシュウム、マグネシウム等を付着させて取り除くこ事にある。【０００４】
【特許文献１】特開平０８−０４２９９３  特開２０００−２１２７８２  特開２００１−０３８３６２  特開２００６−１３６７７１
【背景技術】
【０００５】    液体輸送配管の外部からゼーター電位を与える発信部として、電線を１１回程度巻くことでゼーター電位を与えるという方式を推奨しているが、与えるゼーター電位が弱く、用途も限定的である。【０００６】    液体に強いゼーター電位を与える方法として、発信部に大きな電力を与える方法は有るが、消費電力も多く、商品価格も高い。【０００７】    液体に配線を通して磁界を与える事で、配管のスケール付着防効果及び防錆効果は認められている。
【発明が解決しようとする課題】
【０００８】    小電力で液体に強いゼーター電位を液体に与えることにある。
【０００９】    小電力でも強いゼーター電位を液体に与えることで、洗濯機に利用すると洗剤の節約になる他、洗濯物の黄ばみ及び付着した汗の匂い等を落とす効果を生む。
【００１０】    井水、上水及び一般水にプラスの強いゼーター電位を与えることで、与えたゼーター電位の逆相の電位をかけた電極を設け、井水、上水及び一般水中の鉄、カルシウム、マグネシウム分を電極に付着すことが出来、除鉄、除マンガン、除カルシウム効果をもたらす。
【００１１】    廃液、排水等にプラスの強いゼーター電位を与え、廃液排出側に導電性の電極及びフィルターを設け、与えたゼーター電位の逆相の電位を電極及びフィルターに印加することで廃液、排水中に含まれる金属イオン分を電極及びフィルターに付着させ、回収及び除去することが出来る。
【課題を解決するための手段】
【００１２】    液体に強いゼーター電位を与える方法として、液体輸送配管をループ状に複数回巻き、複数回巻いた配管の外側にゼーター電位を与える発信部を設けることで液体は発信部をループ状に巻いた回数だけ通過することとなり、発信部を通過する回数分液体に強いゼーター電位を与えることが出来る。
【００１３】    液体にゼーター電位を与える発信部として、配管の外部より電線を巻く方式の発信部であり、その巻き方として１１回が適当とし、推奨されてきた。
【００１４】    ゼーター電位を発生させるための電源部は交流であり、電圧も低くまた内部抵抗が低いため、細い電線を使用したときは短い電線しか使用できず、配管の外部に巻く回数も制限される。
【００１５】    強いゼーター電位を液体に与えるには発信部に巻く電線の巻き数を多くすることであり、太い電線を使用することで電線の抵抗値を下げ、長い電線を使用することが可能となり、配管に巻く回数を増やすことが出来る。
【００１６】    そこで強くゼーター電位を与える方法の一つは発信部として巻く電線を太くし、巻く回数も推奨回数１１回の数倍巻くことで強くゼーター電位を与えることが出来る。
【００１７】    方法の二つとして液体輸送配管をループ状に複数回巻き、ループ状に巻いた配管の外側に発信部を設ける。液体は発信部をループ状に巻いた回数分通過させることで、より強くゼーター電位を与えることが出来る。
【００１８】    方法の三としてループ状に巻いた液体輸送配管の外側に発信部を複数個設けることで更に強いゼーター電位を液体に与えることを可能とする。
【００１９】    上記の方法により、ストレート配管に発信部を設ける方式と比較し、ループ状に巻いた配管の回数分強くゼーター電位を与え、更にループ状に巻いた配管に複数個の発信部を設けることで、少ない電力でより強くゼーター電位を与えることが出来る。
【００２０】    例えば液体輸送配管を１０回ループ状に巻き、そのループ状に巻いた配管の外側に発信部を２ヶ所設けたとき、１０×２＝２０、液体が発信部を２０回通過することになり、ストレート配管に発信部を１ヶ所設けた時と比較して２０倍強くなる。
【００２１】    強くゼーター電位を与えた水は洗浄効果を生み、洗濯機の給水ホースに取り付けることで洗濯物の洗濯効果を生み、皮脂等の黄ばみ成分を落とすとともに、洗剤を無くすか減らす事が出来る。
【００２２】    ゼーター電位を強く与えることで液体内のカルシウム、マグネシウム、鉄などの分子及び金属イオンにも強いゼーター電位の変化ををもたらす。液体の出口側に液体を受ける槽を設け、槽内に電極を設け、液体に与えたゼーター電位の逆相の電位を印加することで液体内のカルシウム、マグネシウム、鉄などのイオン分を電極に付着させることが出来る。
【００２３】    液体に強いゼーター電位を与え、液体の排出側に導電性のフィルターを設け、フィルターには与えたゼーター電位の逆相の電位を印加することで、液体中の金属イオン等がフィルターに付着させることでろ過効果をもたらす。
【００２４】    液体にゼーター電位を強く与えることで、部品の洗浄においては脱脂洗浄効果が向上し、薬剤を使用しない部品の洗浄を可能とする。
【発明を実施するための形態】
【００２５】    廃液及び排水等の液体輸送配管に強いプラスのゼーター電位を与え、ゼーター電位を与えた廃液、排水出口側に電極または導電性のフィルターを設ける。設けた電極又はフィルターにはマイナスの電位又は接地することで液体内のミネラル分を電極に付着回収し、フィルターではろ過ができる。
【００２６】    洗浄水にゼーター電位を強く液体に与えることで、洗浄水は洗浄力が生まれる。機械部品等の洗浄において、強いゼーター電位を与えた洗浄水による洗浄を繰り返すことで界面活性剤等を使用することなく洗浄することを可能とする。
【００２７】    部品等の洗浄において、お湯を使用することで油脂分の粘度を下げ、強くマイナスのゼーター電位を与えたお湯は洗浄力を増すとともに、お湯内に溶けた油脂分は洗浄部品に再付着する事が無くなる。数回洗浄することで界面活性剤等の洗浄剤を使用することなく、お湯だけの洗浄を可能とする。
【００２９】    更に洗浄力を増すために超音波洗浄機、ナノバブル及びマイクロバブル装置を組み合わせることで更に威力を発揮する。特にナノバブル及びマイクロバブル装置との組み合わせで、部品から剥離したゴミ等は浮上するので、洗浄液を浮上分離することで、洗浄液の水質を保てる効果も生まれる。
【００３０】    家庭用及び業務用の洗濯機にも応用可能で、洗濯機の給水ホースにマイナスのゼーター電位を強く与える方法をとることで洗濯効果を生み、洗剤を削減できる他、皮脂の付着防止他、酸化皮脂等の黄ばみ、汗の匂い等も洗い落とす事が出来る。
【００３１】    井水、上水及び一般水に強くプラスのゼーター電位を与え、与えた井水、上水及び一般水の排出側に槽を設け、槽内に電極を設け、設けた電極にマイナスの電位を印加する又は接地することで井水、上水及び一般水に含まれる鉄分、カルシウム分、マグネシウム分を電極に付着させる事が出来る。これは凝集剤と同等の効果を生み、薬剤を使用せずに除鉄、除マンガン、除カルシウムを可能とする。
【００３２】    廃液及び排水から金属イオン等を回収する目的にも利用できる。廃液、排水等に強いゼーター電位を与え、与えたゼーター電位の逆相の電位を持つ電極を設けることで電極に廃液及び排水中に含まれる金属イオン分を付着させ、回収することが出来る。
【００３３】    液体中のイオン成分を吸着、回収するに当たっては与えるゼーター電位をプラスとし、電極にはマイナス又は接地とする事が望ましいが、液体の性質によってはこの限りではない、
【実施例】
【００３４】    洗濯機の吸水ホースを７回ループ状に巻き、ループ状に巻いた上からゼーター電位を与える発信部を設けることで、洗濯機に供給する水に強いゼーター電位を与える事が出来る。下着類には皮脂が付着し、特に夏物の下着類は保存することで付着した皮脂分が酸化し、黄ばみが生じる。黄ばみは洗剤等では洗濯できないでいるが、上記の本発明装置を取り付けた洗濯機で洗濯したところ長期保存された黄ばんだ下着、ワイシャツ、枕カバー等を２回の洗濯で綺麗に洗濯できている。本発明の装置取り付けの洗濯機で洗濯した衣類は長期保存しても黄ばむことが無くなっている。【００３５】    すでに黄ばんだ枕カバーを洗剤メーカー推奨の洗剤量の半分以下、洗濯機メーカー推奨の洗濯方法で２回洗洗濯したところ新旧の区別がつかない程に黄ばみが落ち綺麗になった。この時の洗濯は通常の洗濯物と混在して洗濯をした。【００３６】    水道水のホースをループ状に１０回巻き、その上から５０回電線を巻いた発信部を設け、発信部にはプラスのゼーター電位を与え、その水道水の受け槽の中に電極としてステンレスの金属たわしを入れ、金属たわしを接地した構造において、金属たわしに酸化鉄が付着し、茶色くなっている。水道内の鉄分と思われる。【００３７】    カルシウムの多い水道水において、本発明の装置を使用し、水道水にはプラスのゼーター電位を、電極の金属たわしを接地したところ金属たわしにはカルシウムが多く付着した。この処理した水道水でお湯を沸かしたところ、それまで大量に付着していたカルシウムの付着が激減している。【００３８】    廃液、排水の輸送配管に強いゼーター電位を与える発信部を設け、廃液、排水を受ける槽内に表面積の多い導電性の電極を設ける。廃液及び排水に与えるゼーター電位はプラスとし、槽内に設けた電極にはマイナス又は接地することで廃液及び排水内の金属イオン分を回収するすることが出来ている。【００３９】    メッキ液にプラスのゼーター電位を強く与えることでメッキも可能である。電気メッキと比較して与える電力が小さいので、厚いメッキには適さ無いが、薄く均一にメッキする事が出来る。金メッキにおいては、薄く均一にメッキでき、商品の品質が向上し、金の使用量の節約になる。【００４０】    タービン油等の高粘度の潤滑油をろ過する装置において、潤滑油の輸送配管に本発明の装置を取り付け、潤滑油を輸送するホースにはプラスのゼーター電位を与え、フィルターとして表面積の多い金属電極を用い、フィルターを接地したところ、潤滑油を加熱することなくまた、０．３メガパスカルという低圧でろ過することが可能となった。この時の粘度は４６０度でこのクラスは従来はろ過不可能と言われている。フィルターの付着物は金属紛が主体で、カーボンは付着していない。【００４１】    前記ろ過装置を発電機のタービン装置等の付属装置として使用するときは、ろ過装置排油口にゼーター電位をマイナスにする装置を取り付けることが必要で、排出側をマイナスにすることで発電機等の潤滑油配管に金属粉等のスケール付着を防止することが出来る。【００４２】    液体に与えるゼーター電位は洗浄及び洗濯、排出側配管及び槽にスケールの付着防止及び防錆目的の時はマイナスを、液体からイオン分を電極及びフィルターにに付着させる目的にはプラスを与えるが一般的であるが、液体の種類によってはこの限りではない。【００４３】    廃液及び排水から金属イオンを回収する、洗濯機の洗剤を減らすなど、産業に利益をもたらすほか、温暖化ガスの削減、資源の回収にも有効な方法である。特にメッキ液等の廃液にはニッケル等の重要金属が含んでいるが、一部では希釈して下水放流又は河川放流していり、金属イオンの回収は資源の有効利用に効果が有る。【００４４】    液体に強くゼーター電位を与える装置を使用することで効果を生む方法及び装置は、廃液、排水、上水、下水、井水、一般水等の液体の他、水を利用した装置として洗濯機、食器洗い機、散髪用水、洗車機及び、燃料油、潤滑油、植物油等にも応用可能で有り、本発明の装置の利用は実施例に上げた限りでは無く、液体に強いゼーター電位の変化を与えることで応用可能な装置も含まれる。
【図面の簡単な説明】
【００４５】
【図１】は液体輸送配管をループ状に複数回巻き、その外側に発信部を設けた図面である。
【００４６】
【図２】は液体輸送配管をループ状に複数回巻き、その外側に発信部を２ヶ所設けた図面である。
【００４７】
【図３】はゼーター電位を与えた液体の排出側にフィルターを設けた図面である。
【００４８】
【図４】はゼーター電位を与えた液体の排出側に電極を設けた図面である。
【００４９】
【図５】はポリプロピレンの容器に水道水を入れ、その上から食用油を垂らした写真である。食用油は見る間に容器に付着した状態を示している。
【００５０】
【図６】はポリプロピレンの容器に本発明の強いマイナスのゼーター電位を与えた水道水を入れ、その上から食用油を垂らした写真である。食用油は容器には付着せずに、容器中央に留まり、少し揺すっても中央に戻る。水面より食用油が盛り上がった状態でる。この状態は４８時間続き、６０時間後には食用油は容器に一部付着した。
【００５１】
【図７】は液体にゼーター電位を与えたデーターで、強くゼーター電位を与えるとゼーター電位の数値が上がってる。ここ図では磁束密度を上げることでゼーター電位を強くなることを示している。
【符号の説明】
【００５２】１、液体を輸送する配管
２、配管を複数回ループ状に巻いた配管部
３、発信部
４、電源部
５、発信部に電源を供給する配線
６、液体排出側の槽
７、フィルター
８、電極用配線
９、電極
【図１】
2019025469.tif 000003
【図２】
2019025469.tif 000004
【図３】
2019025469.tif 000005
【図４】
2019025469.tif 000006
【図５】
2019025469.tif 000007
【図６】
2019025469.tif 000008
【図７】
2019025469.tif 000009